(57)【特許請求の範囲】
【請求項１】
アウターカバーの装着と同時に、床面に設置した第１構成部の固定接点部と前記アウターカバーに取付けた第２構成部の可動接点部とが自動的に接続されるベル型コイル焼鈍炉の電気用オートコネクターにおいて、前記第１構成部に、上下方向に延びる第１ガイド部と、前記固定接点部を退避可能にカバーする回転式開閉蓋と、この開閉蓋に結合し、下向き外力を受けていない状態では前記固定接点部を覆うように前記開閉蓋を回転させ、前記外力を受けることにより前記固定接点部から前記開閉蓋を待避させるリンク機構とを設ける一方、前記第２構成部に、前記アウターカバーに取付けた支持部と、この支持部に上下方向に形成した貫通孔を遊嵌状態で貫通し、ばねにより常時上方に付勢されたロッドと、前記可動接点部を保持し、かつ前記第１ガイド部と係合して前記第１構成部に対して相対的に一定の位置関係を保つ上下方向に延びた第２ガイド部を有するとともに、前記ロッドに固定され、かつばねにより常時下方に付勢された接点保持部と、前記アウターカバーの降下時に前記リンク機構に係合して前記外力を作用させるストライカーとを設けたことを特徴とするベル型コイル焼鈍炉の電気用オートコネクター。
【発明の詳細な説明】
【０００１】
【発明の属する技術分野】
本発明は、アウターカバーの着脱時に、自動的に接続、分離するベル型コイル焼鈍炉の電気用オートコネクターに関するものである。
【０００２】
【従来の技術】
従来、ベル型コイル焼鈍炉のアウターカバーにプラグを固定するとともに、ベース側にコンセントを取付け、アウターカバーの装着時に、プラグとコンセントの電気接続子同志を自動的に接続させるようにしたオートコネクターは公知である（実公昭51-3130号公報）。このオートコネクターでは、ベース側のコンセントにベアリングにより上下から横方向に移動可能に支持され、かつ定位置に戻すように常時ばね力の作用を受けた移動板にばねを介して支持したコンセント本体を設け、このコンセント本体に電気接続子を固定することにより、前記プラグ、コンセントの電気接続子同志の接続時における両者間の横方向の位置的ずれを吸収するように構成されている。
【０００３】
【発明が解決しようとする課題】
上記従来のオートコネクターでは、前記電気接続子同志の水平方向の微小な位置ずれをベース側のコンセントにて吸収するようにしてある。このため、このオートコネクターの場合、移動板、ベアリング、移動板に定位置に戻すように常時力を作用させるばね等を含む複雑な構成になるという問題がある。また、前記移動板の上には塵埃が堆積し易く、移動板の横方向の移動が制限され、前記位置ずれの吸収ができなくなるおそれがある。
【０００４】
さらに、前記プラグ、コンセントが分離した状態では、このコンセントの電気接続子は塵埃の多い雰囲気に晒されたままとなるため、電気接続子に塵埃が付着し、その結果プラグ、コンセントの各電気接続子同志を接続させようとしても、接触不良になるという問題がある。
本発明は、斯る従来の問題をなくすことを課題としてなされたもので、接点同志を自動的かつ確実に接続することを可能にし、構造が単純なベル型コイル焼鈍炉の電気用オートコネクターを提供しようとするものである。
【０００５】
【課題を解決するための手段】
上記課題を解決するために、本発明は、アウターカバーの装着と同時に、床面に設置した第１構成部の固定接点部と前記アウターカバーに取付けた第２構成部の可動接点部とが自動的に接続されるベル型コイル焼鈍炉の電気用オートコネクターにおいて、前記第１構成部に、上下方向に延びる第１ガイド部と、前記固定接点部を待避可能にカバーする回転式開閉蓋と、この開閉蓋に結合し、下向き外力を受けていない状態では前記固定接点部を覆うように前記開閉蓋を回転させ、前記外力を受けることにより前記固定接点部から前記開閉蓋を退避させるリンク機構とを設ける一方、前記第２構成部に、前記アウターカバーに取付けた支持部と、この支持部に上下方向に形成した貫通孔を遊嵌状態で貫通し、ばねにより常時上方に付勢されたロッドと、前記可動接点部を保持し、かつ前記第１ガイド部と係合して前記第１構成部に対して相対的に一定の位置関係を保つ上下方向に延びた第２ガイド部を有するとともに、前記ロッドに固定され、かつばねにより常時下方に付勢された接点保持部と、前記アウターカバーの降下時に前記リンク機構に係合して前記外力を作用させるストライカーとを設けた構成とした。
【０００６】
【発明の実施の形態】
次に、本発明の一実施形態を図面にしたがって説明する。
図１〜１０は、本発明に係るベル型コイル焼鈍炉Ａの電気用オートコネクター１を示し、焼鈍炉Ａは床面Ｆに立設したベースＢと、焼鈍対象物であるコイル材を覆うインナーカバー（図示せず）と、このインナーカバーを覆うアウターカバーＯとからなっている。
オートコネクター１は、以下に詳述するように、ベースＢの近くの床面Ｆに設置した第１構成部２の固定接点部、例えば雄側の固定接点部３と、アウターカバーＯに取付けた第２構成部４の可動接点部、例えば雌側の可動接点部５とを有し、ベースＢへのアウターカバーＯの装着と同時に固定接点部３と可動接点部５とが自動的に接続され、各々の内部の接点同志も接続されるように形成されている。
【０００７】
固定側である第１構成部２には、第１ガイド部１１と開閉蓋１２とリンク機構１３とが設けてある。第１ガイド部１１は、床面に設置した架台１４の上面から上方に向かって延びた先細形状の２本のガイドロッド１５からなっている。開閉蓋１２は、リンク機構１３の作動とともに回転して固定接点部３から離れ、或は固定接点部３をカバーして、これを保護するものである。リンク機構１３は、架台１４の側部から上方に向けて延在させた第１リンク部材１６と、この第１リンク部材１６に回転可能に支持した第１軸１７、第２軸１８と、第１軸１７と一体回転可能に設けた第２リンク部材１９と、第２軸１８を中心として回転可能に設けた第３リンク部材２０と、第２リンク部材１９、第３リンク部材２０のそれぞれの一端に設けた第３軸２１、第４軸２２により第２リンク部材１９、第３リンク部材２０に対して相対回転可能に、かつ第１リンク部材１６に平行に支持した第４リンク部材２３とからなっている。
【０００８】
第２リンク部材１９は第１軸１７を超えて延びており、第４軸２２とは反対側の端部にはカウンターウエイト２４が取付けてある。また、開閉蓋１２は第１軸１７にこれと一体的に回転可能に結合している。
そして、第３リンク部材２０の第４軸２２側の端部に何ら外力が作用していない場合には、図１〜４に示すようにカウンターウエイト２４が自重により降下し、これとともに第４リンク部材２３、第１軸１７を介して開閉蓋１２が架台１４の上面に向けて時計回り方向に回転する。この結果、開閉蓋１２は前述したように固定接点部３をカバーし、周囲の塵埃が固定接点部３内の接点の表面に付着するのを防止して、この表面を電気的に常に良好な状態に保つようになっている。
【０００９】
第２構成部４には、支持部３１とロッド３２と接点保持部３３とストライカー３４とが設けてある。支持部３１は、アウターカバーＯに直接取付けた第１ブラケット３５と、この第１ブラケット３５に横方向に位置調整可能に取付けた第２ブラケット３６とからなっている。この第２ブラケット３６の底板部３７に上下方向に貫通孔３８、図示する例では４個の貫通孔３８が形成してある。ロッド３２はこの貫通孔３８を遊嵌状態で貫通し、ロッド３２と貫通孔３８の内周面との間には隙間が生じるようになっている。また、ロッド３２は底板部３７上にて、ロッド３２の周囲を取巻くばね３９によりばね座を介して常時上方に付勢されている。
【００１０】
ロッド３２の下端部は、可動接点部５を保持する接点保持部３３に固定してあり、この接点保持部３３と底板部３７との間には、ロッド３２を取り巻くようにばね４０が配置してある。そして、このばね４０により接点保持部３３は、ロッド３２からの上向きの力より強い力を受けて常時下方に付勢されている。また、接点保持部３３には、第１ガイド部１１のガイドロッド１５に対応させて上下方向に、かつ下部が広がるように穿設した二つの貫通孔４１からなる第２ガイド部４２が形成してある。そして、この貫通孔４１内にガイドロッド１５を嵌入させることにより第１構成部２に対して第２ガイド部４２とともに接点保持部３３を一定の位置関係を保つようになっている。
ストライカー３４は、アウターカバーＯに固定され、なだらかに傾斜した下端部からアウターカバーＯの側面に平行に上方に延在した形状をしている。
【００１１】
そして、図１〜４に示す状態から、図５〜７に示すように徐々にアウターカバーＯを降下させると、これをベースＢ上に装着させる過程で、まずストライカー３４の傾斜した下端部により第３リンク部材２０の第２軸１８とは反対側の端部が押下げられ、図において反時計回り方向に第３リンク部材２０が回転してゆく。これとともに、第４リンク部材２３を介して第３リンク部材２０と間接的に結合した第２リンク部材１９が、カウンターウエイト２４の重量に打勝って前記同様に反時計回り方向に回転する。この結果、開閉蓋１２は、第１軸１７を中心として反時計回り方向に回転して第１構成部２の架台１４上の固定接点部３から離れ、ストライカー３４側迄退避した状態となる。開閉蓋１２の退避後もアウターカバーＯの降下は続くが、その間第３リンク部材２０の前記端部に対してストライカー３４の面が摺動する。
【００１２】
接点保持部３３は、開閉蓋１２が退避した後に、開閉蓋１２と干渉し合うことなくガイドロッド１５の上端部に達し、接点保持部３３の降下とともに下部が広がった接点保持部３３の貫通孔４１内に先細形状のガイドロッド１５が円滑に嵌入するようになっている。なお、ガイドロッド１５への貫通孔４１の接近時、通常、貫通孔４１の中心がガイドロッド１５の中心から数ミリ程度ずれるのは避けられないが、底板部３７の貫通孔３８に対してロッド３２は遊嵌状態になっている故、この程度位置ずれに対しては、ガイドロッド１５の位置に合わせて接点保持部３３が横方向に移動して、位置ずれの吸収が可能となっている。そして、貫通孔４１内にガイドロッド１５が完全に嵌入した図５〜７に示す状態では、接点保持部３３が架台１４の上面に正確に位置決めされて降下し、固定接点部３内の接点と可動接点部５内の接点とが確実に接続される。また、ばね４０が圧縮され、このばね４０により接点保持部３３が下方に付勢され、押圧された状態で固定接点３と可動接点５の各々の内部の接点同志が接続されるため、良好な接続状態が維持されるようになっている。
【００１３】
なお、前述した実施形態では、第１ガイド部１１がガイドロッド１５からなり、第２ガイド部４２が貫通孔４１から形成されているが、本発明はこれに限定するものでなく、凹凸を逆にして第１ガイド部１１を貫通孔により形成し、第２ガイド部４２をガイドロッドにより形成してもよく、それぞれの数も限定するものではない。また、固定接点部３を雌側とし、可動接点部５を雄側としてもよい。
【００１４】
【発明の効果】
以上の説明より明らかなように、本発明によれば、アウターカバーの装着と同時に、固定側の第１構成部の固定接点部とアウターカバーに取付けた第２構成部の可動接点部とが、第１ガイド部と第２ガイド部との係合時において、第２構成部の底板部の貫通孔を遊嵌状態で貫通するロッドの横方向移動とともに、位置決めされつつ、自動的に接続され、かつばねにより接点保持部が下方に押圧され、固定接点部、可動接点部内の接点同志の良好な接続状態が維持される一方、非接続時には開閉蓋により固定接点部３がカバーされ、内部の接点に塵埃が付着しないようになっている。
【００１５】
このため、このオートコネクターの構造が単純になるだけでなく、接点同志を自動的かつ確実に接続することが可能になる他、開閉蓋により固定接点部内の接点に塵埃が付着するのを防止し、固定接点部内の接点の表面を電気的に良好な状態を長期間にわたって維持できる等の効果を奏する。
【図面の簡単な説明】
【図１】  本発明に係るベル型コイル焼鈍炉の電気用オートコネクターの分離した状態を示す側面図である。
【図２】  図１に示すオートコネクターの正面図である。
【図３】  図１に示すオートコネクターの平面図である。
【図４】  図１に示すオートコネクターの開閉蓋、リンク機構の部分を拡大して示す図である。
【図５】  図１に示すオートコネクターの接続した状態を示す側面図である。
【図６】  図５に示すオートコネクターの正面図である。
【図７】  図５に示すオートコネクターの開閉蓋、リンク機構の部分を拡大して示す図である。
【図８】  図５に示すオートコネクターの第１ガイド部と第２ガイド部との係合状態を拡大して示す部分断面図である。
【図９】  図１のIX−IX線断面図である。
【図１０】  図１のX−X線断面図である。
【符号の説明】
１  オートコネクター            ２  第１構成部
３  固定接点部                  ４  第２構成部
５  可動接点部                  １１  第１ガイド部
１２  開閉蓋                    １３  リンク機構
１４  架台                      １５  ガイドロッド
１６  第１リンク部材            １７  第１軸
１８  第２軸                    １９  第２リンク部材
２０  第３リンク部材            ２１  第３軸
２２  第４軸                    ２３  第４リンク部材
２４  カウンターウエイト        ３１  支持部
３２  ロッド                    ３３  接点保持部
３４  ストライカー              ３５  第１ブラケット
３６  第２ブラケット            ３７  底板部
３８  貫通孔                    ３９  ばね
４０  ばね                      ４１  貫通孔
４２  第２ガイド部材
Ａ  焼鈍炉                      Ｂ  ベース
Ｆ  床面                        Ｏ  アウターカバー
【図１】
0004215854.tif 000002
【図２】
0004215854.tif 000003
【図３】
0004215854.tif 000004
【図４】
0004215854.tif 000005
【図５】
0004215854.tif 000006
【図６】
0004215854.tif 000007
【図７】
0004215854.tif 000008
【図８】
0004215854.tif 000009
【図９】
0004215854.tif 000010
【図１０】
0004215854.tif 000011